(57)【要約】【課題】携帯端末装置と連携する際に、複雑な操作を行うことなく、携帯端末装置に保持された個人情報の閲覧を制限することができる情報処理装置およびシステムを提供すること。【解決手段】車載装置１は、携帯端末装置９０が接続されたことを検出する接続検出部５１と、接続検出部５１によって接続が検出されたときに、携帯端末装置９０に向けて個人情報の閲覧制限要求を送信する要求送信部５３と、利用者による指示に応じて、携帯端末装置９０と連携する処理を行う連携処理部５４とを備えている。【選択図】図１
2017041848.tif 000002
【特許請求の範囲】
【請求項１】
携帯端末装置が接続されたことを検出する接続検出手段と、
前記接続検出手段によって接続が検出されたときに、前記携帯端末装置に向けて個人情報の閲覧制限要求を送信する要求送信手段と、
利用者による指示に応じて、前記携帯端末装置と連携する処理を行う連携処理手段と、
を備えることを特徴とする情報処理装置。
【請求項２】
請求項１において、
前記接続検出手段によって接続が検出されたときに、前記携帯端末装置における個人情報の閲覧制限の有無を設定する閲覧制限設定手段をさらに備え、
前記要求送信手段は、前記閲覧制限設定手段によって閲覧制限を行う旨の設定が行われたときに、前記携帯端末装置に向けて個人情報の閲覧制限要求を送信し、それ以外のときに、この閲覧制限要求の送信を中止することを特徴とする情報処理装置。
【請求項３】
請求項１または２において、
前記連携処理手段は、前記携帯端末装置の表示画面と同じ画面を表示するとともに、タッチパネルを用いてこの画面に対して行った操作内容を前記携帯端末装置に向けて送信することにより、前記携帯端末装置と連携する処理を行うことを特徴とする情報処理装置。
【請求項４】
請求項１〜３のいずれか一項において、
前記閲覧制限要求に応じて行われる前記携帯端末装置による閲覧制限には、電話帳の表示、電話の発着信相手の氏名・名称の表示、送受信メールの内容表示の少なくとも一つが含まれることを特徴とする情報処理装置。
【請求項５】
情報処理装置に携帯端末装置が接続され、前記携帯端末装置と連携して前記情報処理装置が動作する情報処理システムにおいて、
前記情報処理装置は、
前記携帯端末装置が接続されたことを検出する接続検出手段と、
前記接続検出手段によって接続が検出されたときに、前記携帯端末装置に向けて個人情報の閲覧制限要求を送信する要求送信手段と、
利用者による指示に応じて、前記携帯端末装置と連携する処理を行う連携処理手段と、を備え、
前記携帯端末装置は、前記情報処理装置から前記閲覧制限要求が送られてきたときに、前記情報処理装置と連携する処理を行うとともに、アプリケーションを実行する際に個人情報の閲覧制限を行うことを特徴とする情報処理システム。
【発明の詳細な説明】
【技術分野】
【０００１】
本発明は、携帯端末装置が接続されて連携動作を行う情報処理装置およびシステムに関する。
【背景技術】
【０００２】
最近では、スマートホンと称される携帯端末装置と車載装置との連携が進んでおり、携帯端末装置と同じ画面を車載装置に表示するとともに、車載装置に備わったタッチパネルを用いて表示画面を用いた各種の操作を行うことができるようになっている。例えば、オペレーティングシステムとしてｉＯＳ（アイオーエス、登録商標）を用いたｉＰｈｏｎｅ（アイフォーン、登録商標）と称される携帯端末装置で提供されるＣａｒＰｌａｙ（登録商標）や、オペレーティングシステムとしてＡｎｄｒｏｉｄ（アンドロイド、登録商標）を用いた携帯端末装置で提供されるＡｎｄｒｏｉｄ  Ａｕｔｏ（登録商標）などにより、上述した動作が実現されている。
【０００３】
また、従来から、情報の機密保護に関しては、自装置が機密保護モードに設定されているときに、相手先も機密保護機能を有していれば、機密保護モードを指定して画像データを送信し、相手先の装置において自由に２次利用ができないようにした通信装置が知られている（例えば、特許文献１参照。）。
【先行技術文献】
【特許文献】
【０００４】
【特許文献１】特開２００４−３６３８７９号公報
【発明の概要】
【発明が解決しようとする課題】
【０００５】
ところで、上述した携帯端末装置と連携した車載装置において、個人情報の表示を伴う機能を利用しようとすると、携帯端末装置に保持されている個人情報がそのまま車載装置に表示されてしまうことになる。例えば、運転者と同乗者が乗り込んだ車両において、運転者が所有する携帯端末装置を車載装置に接続して車載装置において電話帳を見ようとすると、そのまま車載装置に電話帳の内容が表示されてしまい、搭乗者にもその内容が見られてしまうことになる。このような個人情報の閲覧を避けるためには、予め携帯端末装置側で閲覧制限の操作をしておけばよいが、車載装置に携帯端末装置を接続後に、携帯端末装置において設定画面を表示させて閲覧設定を行うことになり、操作が非常に煩雑になるという問題があった。
【０００６】
一方、上述した特許文献１の通信装置では、自装置と相手先の両方に機密保護機能が設定されていることが前提であり、上述した車載装置と携帯端末装置の連携に適用することはできない。
【０００７】
本発明は、このような点に鑑みて創作されたものであり、その目的は、携帯端末装置と連携する際に、複雑な操作を行うことなく、携帯端末装置に保持された個人情報の閲覧を制限することができる情報処理装置およびシステムを提供することにある。
【課題を解決するための手段】
【０００８】
上述した課題を解決するために、本発明の情報処理装置は、携帯端末装置が接続されたことを検出する接続検出手段と、接続検出手段によって接続が検出されたときに、携帯端末装置に向けて個人情報の閲覧制限要求を送信する要求送信手段と、利用者による指示に応じて、携帯端末装置と連携する処理を行う連携処理手段とを備えている。
【０００９】
また、本発明の情報処理システムは、情報処理装置に携帯端末装置が接続され、携帯端末装置と連携して情報処理装置が動作する。情報処理装置は、携帯端末装置が接続されたことを検出する接続検出手段と、接続検出手段によって接続が検出されたときに、携帯端末装置に向けて個人情報の閲覧制限要求を送信する要求送信手段と、利用者による指示に応じて、携帯端末装置と連携する処理を行う連携処理手段とを備える。携帯端末装置は、情報処理装置から閲覧制限要求が送られてきたときに、情報処理装置と連携する処理を行うとともに、アプリケーションを実行する際に個人情報の閲覧制限を行う。
【００１０】
事前に携帯端末装置において閲覧制限を行っていない場合であっても、携帯端末装置が接続された後にその設定を行うことができるため、複雑な操作を行うことなく、携帯端末装置に保持された個人情報の閲覧を制限することができる。
【００１１】
また、上述した接続検出手段によって接続が検出されたときに、携帯端末装置における個人情報の閲覧制限の有無を設定する閲覧制限設定手段をさらに備え、要求送信手段は、閲覧制限設定手段によって閲覧制限を行う旨の設定が行われたときに、携帯端末装置に向けて個人情報の閲覧制限要求を送信し、それ以外のときに、この閲覧制限要求の送信を中止することが望ましい。これにより、利用者以外の第三者の有無に応じて、閲覧制限の有無を使い分けることが可能となる。
【００１２】
また、上述した連携処理手段は、携帯端末装置の表示画面と同じ画面を表示するとともに、タッチパネルを用いてこの画面に対して行った操作内容を携帯端末装置に向けて送信することにより、携帯端末装置と連携する処理を行うことが望ましい。これにより、処理自体は携帯端末装置が行ってその表示と入力に関する操作を情報処理装置を用いて行うことが可能となる。
【００１３】
また、上述した閲覧制限要求に応じて行われる携帯端末装置による閲覧制限には、電話帳の表示、電話の発着信相手の氏名・名称の表示、送受信メールの内容表示の少なくとも一つが含まれることが望ましい。これにより、利用者以外の第三者に、交友関係や通信内容などの個人情報が不用意に閲覧されることを避けることができる。
【図面の簡単な説明】
【００１４】
【図１】一実施形態の車載装置の構成を示す図である。
【図２】一実施形態の携帯端末装置の構成を示す図である。
【図３】携帯端末装置が接続されて連携動作を開始する際の車載装置の動作手順を示す流れ図である。
【図４】閲覧制限設定画面の具体例を示す図である。
【図５】車載装置から閲覧制限要求が送られてくる携帯端末装置の動作手順を示す流れ図である。
【発明を実施するための形態】
【００１５】
以下、本発明を適用した一実施形態の車載装置と携帯端末装置について、図面を参照しながら説明する。
【００１６】
図１は、一実施形態の車載装置の構成を示す図である。図１に示すように、車載装置１は、ナビゲーション処理部１０、ＴＶチューナ処理部１４、ラジオチューナ処理部１６、ＡＶ処理部１８、操作部２０、発話スイッチ（ＳＷ）２２、タッチパネル２４、入力制御部２６、表示処理部３０、表示装置３２、デジタル−アナログ変換器（Ｄ／Ａ）４０、スピーカ４２、マイクロホン４４、アナログ−デジタル変換器（Ａ／Ｄ）４６、制御部５０、ハードディスク装置（ＨＤＤ）７０、ＵＳＢ（Universal Serial Bus）インタフェース部（ＵＳＢ  Ｉ／Ｆ）８０を備えている。
【００１７】
ナビゲーション処理部１０は、ハードディスク装置７０に記憶されている地図データを用いて車載装置１が搭載された車両の走行を案内するナビゲーション動作を行う。自車位置を検出するＧＰＳ（Global Positioning System）装置１２とともに用いられ、車両の走行を案内するナビゲーション動作には、地図表示、経路探索・誘導のほかに周辺施設を検索して表示する動作などが含まれる。なお、自車位置検出は、ＧＰＳ１２の他にジャイロセンサや車速センサ等の自律航法センサを組み合わせて用いるようにしてもよい。
【００１８】
ＴＶチューナ処理部１４は、地上デジタル放送等の放送信号を受信し、映像および音声を再生する処理を行う。ラジオチューナ処理部１６は、ラジオ放送の信号を受信し、音声を再生する処理を行う。ＡＶ処理部１８は、圧縮されてハードディスク装置７０に記憶されている音楽データや映像データを読み出して再生する処理を行う。なお、音楽データや映像データは、ディスク読取装置（図示せず）を用いてＣＤやＤＶＤから読み取ったものを用いたり、携帯端末装置９０から送られてくるものをブルートゥース・インタフェース部８０経由で受信して用いるようにしてもよい。
【００１９】
操作部２０は、利用者による各種操作を受け付けるためのものであり、各種のスイッチや操作つまみ等が備わっている。発話スイッチ２２は、利用者がマイクロホン４４に向けて発声する際に利用者によって操作されて発話タイミングを指示するために用いられる。タッチパネル２４は、表示装置３２の画面に重ねて配置されており、利用者の指が接触した画面上の位置を検出する。このタッチパネル２４としては、例えば静電容量式のタッチパネルが用いられるが、その他の方式（抵抗膜方式等）のタッチパネルを用いるようにしてもよい。入力制御部２６は、操作部２０、発話スイッチ２２およびタッチパネル２４の操作状態を監視し、利用者による入力内容を検出する。
【００２０】
表示処理部３０は、各種の操作画面や入力画面等を表示する映像信号を出力して表示装置３２にこれらの画面を表示するとともに、ＴＶチューナ処理部１４によって受信した放送信号に対応する映像画面やＡＶ処理部１８によって再生した映像画面等を表示する映像信号を出力して表示装置３２にこれらの画面を表示する。表示装置３２は、運転席と助手席の中央前方に設置されており、例えば液晶表示装置（ＬＣＤ）を用いて構成されている。
【００２１】
デジタル−アナログ変換器４０は、ナビゲーション処理部１０、ＴＶチューナ処理部１４、ラジオチューナ処理部１６、ＡＶ処理部１８のそれぞれの処理によって生成される音声データや音楽データをアナログの音声信号に変換してスピーカ４２から出力する。なお、実際には、デジタル−アナログ変換器４０とスピーカ４２の間には信号を増幅する増幅器が接続されているが、図１ではこの増幅器は省略されている。また、デジタル−アナログ変換器４０とスピーカ４２との組合せは再生チャンネル数分備わっているが、図１では一組のみが図示されている。
【００２２】
マイクロホン４４は、利用者（運転者）が発声する音声を集音する。アナログ−デジタル変換器４６は、マイクロホン４４で集音された音声信号をデジタルデータに変換する。なお、実際には、マイクロホン４４とアナログ−デジタル変換器４６との間には音声信号を増幅する増幅器が接続されており、増幅後の音声信号がデジタルデータに変換されるが、図１ではこの増幅器は省略されている。
【００２３】
制御部５０は、車載装置１の全体を制御するためのものであり、ＲＯＭやＲＡＭなどに格納された所定のプログラムをＣＰＵで実行することにより実現される。ＵＳＢインタフェース部８０は、ＵＳＢケーブルを介して携帯端末装置９０などとの間で信号の入出力を行うためのものである。このＵＳＢインタフェース部８０には、ＵＳＢポートやＵＳＢホストコントローラが含まれる。
【００２４】
また、上述した制御部５０は、接続検出部５１、閲覧制限設定部５２、要求送信部５３、連携処理部５４を有する。
【００２５】
接続検出部５１は、ＵＳＢケーブルを介してＵＳＢインタフェース部８０に携帯端末装置９０が接続されたことを検出する。
【００２６】
閲覧制限設定部５２は、接続検出部５１によって接続が検出されたときに、携帯端末装置９０における個人情報の閲覧制限の有無を設定する。この設定は、利用者の指示に応じて行われる。
【００２７】
要求送信部５３は、接続検出部５１によって接続が検出され、閲覧制限設定部５２によって個人情報の閲覧制限ありの設定が行われたときに、携帯端末装置９０に向けて個人情報の閲覧制限要求を送信する。
【００２８】
連携処理部５４は、利用者によって携帯端末装置９０との連携が指示されたときに、携帯端末装置９０に向けてその旨を通知した後、携帯端末装置９０と連携する処理を行う。例えば、この連携処理はＣａｒＰｌａｙやＡｎｄｒｏｉｄ  Ａｕｔｏの処理と同じであって、連携処理部５４は、携帯端末装置９０の表示画面と同じ画面を表示装置３２に表示するとともに、タッチパネル２４を用いてこの画面に対して行った操作内容を携帯端末装置９０に向けて送信することにより、携帯端末装置９０と連携する処理を行う。さらに、連携処理部５４は、発話スイッチ２２がオンされている間にマイクロホン４４で集音した利用者の音声をアナログ-デジタル変換器４６を通してデジタルデータに変化したものを携帯端末装置９０に向けて送信するようにしてもよい。
【００２９】
上述した接続検出部５１が接続検出手段に、要求送信部５３が要求送信手段に、連携処理部５４が連携処理手段に、閲覧制限設定部５２が閲覧制限設定手段にそれぞれ対応する。
【００３０】
図２は、一実施形態の携帯端末装置９０の構成を示す図である。図２に示すように、携帯端末装置９０は、一般にスマートフォンと称されるものであり、携帯電話機と携帯情報端末の機能を有する。この携帯端末装置９０は、制御部１００、操作部１１０、タッチパネル１１２、入力制御部１１４、表示処理部１２０、表示部１２２、デジタル−アナログ変換器（Ｄ／Ａ）１３０、スピーカ１３２、マイクロホン１３４、アナログ−デジタル変換器（Ａ／Ｄ）１３６、電話処理部１５０、メモリ１６０、ＵＳＢインタフェース部（ＵＳＢ  Ｉ／Ｆ）１７０を備えている。
【００３１】
制御部１００は、携帯端末装置９０の全体を制御するためのものであり、ＣＰＵ、ＲＡＭ、ＲＯＭなどを含んで構成され、ＲＡＭやＲＯＭに格納されたプログラムやメモリ１６０に格納された各種のアプリケーションプログラムを実行することにより各種の動作を行う。
【００３２】
操作部１１０は、利用者による各種操作を受け付けるためのものであり、各種のスイッチや操作つまみ等が備わっている。タッチパネル１１２は、表示部１２２の画面に重ねて配置されており、利用者の指が接触した画面上の位置を検出する。このタッチパネル１１２としては、例えば静電容量式のタッチパネルが用いられるが、その他の方式（抵抗膜方式等）のタッチパネルを用いるようにしてもよい。入力制御部１１４は、操作部１１０およびタッチパネル１１２の操作状態を監視し、利用者による入力内容を検出する。
【００３３】
表示処理部１２０は、各種の操作画面や入力画面等を表示する映像信号を出力して表示部１２２にこれらの画面を表示する。表示部１２２は、ＬＣＤ（液晶表示装置）等で構成されており、操作部１１０やタッチパネル１１２を用いた操作内容や制御部１００による制御内容および処理内容などが表示される。
【００３４】
デジタル−アナログ変換器１３０は、携帯端末装置９０を電話機として使用した際の着信音声データ等をアナログ信号に変換してスピーカ１３２から出力する。マイクロホン１３４は、利用者が発声した音声を集音する。集音した音声は、アナログ−デジタル変換器１３６によってデジタルデータに変換される。
【００３５】
電話処理部１５０は、携帯電話機としての処理を行う。例えば、電話処理部１５０は、基地局との間で発着信処理を行って通話処理やインターネット接続処理等を行う。
【００３６】
メモリ１６０は、各種のアプリケーションプログラムや各アプリケーションプログラムの実行に必要な各種データ（例えば、地図データ、楽曲データ、電話帳データなど）を格納する。ＵＳＢインタフェース部１７０は、ＵＳＢホストとしての車載装置１とＵＳＢデバイスとしての携帯端末装置９０との間で信号の入出力を行うためのものであり、ＵＳＢホストコントローラを含んでいる。
【００３７】
また、上述した制御部１００は、要求受信部１０１、閲覧制限処理部１０２、連携処理部１０３、電話処理部１０４、メール処理部１０５、電話帳処理部１０６を有する。
【００３８】
要求受信部１０１は、車載装置１から個人情報の閲覧制限要求が送られてきたときにこれを受信する。
【００３９】
閲覧制限処理部１０２は、要求受信部１０１によって閲覧制限要求が受信されたときに、所定の閲覧制限処理を行う。この閲覧制限処理自体は、従来から各種の携帯端末装置毎に行われていたものであり、具体的にどの個人情報を閲覧制限の対象とするかは、携帯端末装置の種類（提供しているキャリアや製造メーカーなど）や個人情報を扱うアプリケーションプログラム毎に予めきまっている。
【００４０】
連携処理部１０３は、利用者によって連携が指示された旨の通知を車載装置１の連携処理部５４から受信したときに、車載装置１と連携する処理を行う。例えば、連携処理部１０３は、表示部１２２の表示画面と同じ画面を車載装置１の表示装置３２に表示するために必要な画像情報を車載装置１に向けて送信するとともに、車載装置１のタッチパネル２４等を用いて行われた操作内容を受信して自装置内のタッチパネル１１２等を用いた操作内容と同等に扱うことにより、車載装置１と連携する処理を行う。このようにして、車載装置１の連携処理部５４と携帯端末装置９０の連携処理部１０３が相互に連携動作することにより、携帯端末装置９０の表示内容と同じ画面を車載装置１の表示装置３２に表示させるとともに、車載装置１のタッチパネル２４等を用いて携帯端末装置９０に対して各種指示を入力する、ＣａｒＰｌａｙやＡｎｄｒｏｉｄ  Ａｕｔｏなどにおける連携動作が可能となる。
【００４１】
電話処理部１０４は、特定の相手と通話を行うための発着信処理を行う。例えば、電話処理部１０４は、利用者の操作に応じて通話相手の電話番号を特定したり、利用者の操作に応じて電話帳（後述する）に登録された一の通話相手を特定してその電話番号を読み出したりして、電話処理部１５０を用いてこの電話番号の通話相手と回線を接続することにより、特定の相手と通話することができる。また、特定の相手から着信があった場合には、電話処理部１０４は、この着信に必要な処理を行って回線を接続することにより、この特定の相手と通話することができる。
【００４２】
メール処理部１０５は、メールの送受信処理や送信メールの作成、受信メールの表示などを行う。電話帳処理部１０６は、電話帳（メールアドレス等も含まれる）の作成、編集を行う。この電話帳に含まれる電話番号や氏名（名称）などは、電話処理部１０４において行われる処理に利用される。同様に、この電話帳に含まれるメールアドレスや氏名（名称）などは、メール処理部１０５において行われる処理に利用される。
【００４３】
本実施形態の車載装置１および携帯端末装置９０はこのような構成を有しており、次に、その動作を説明する。
【００４４】
図３は、携帯端末装置９０が接続されて連携動作を開始する際の車載装置１の動作手順を示す流れ図である。
【００４５】
接続検出部５１は、ＵＳＢケーブルを介してＵＳＢインタフェース部８０に携帯端末装置９０が接続されたか否かを判定する（ステップ１００）。未接続の場合には否定判断が行われ、この判定が繰り返される。また、携帯端末装置９０が接続されるとステップ１００の判定において肯定判断が行われる。
【００４６】
次に、閲覧制限設定部５２は、閲覧制限設定画面を表示する（ステップ１０２）。閲覧制限設定画面には、携帯端末装置９０における閲覧制限の有無を確認する内容が含まれる。例えば、図４に示すように、この閲覧制限設定画面には、「携帯端末装置において閲覧制限をしますか？」の文字列と「ＹＥＳ」、「ＮＯ」の選択肢とが含まれている。
【００４７】
閲覧制限設定部５２は、この閲覧制限設定画面を表示した状態で、閲覧制限が指示されたか否かを判定する（ステップ１０４）。閲覧制限が指示された場合（例えば、図４に示す閲覧制限設定画面において「ＹＥＳ」が選択された場合）には肯定判断が行われる。次に、要求送信部５３は、携帯端末装置９０に向けて個人情報の閲覧制限要求を送信する（ステップ１０６）。
【００４８】
次に、あるいは、閲覧制限が指示されない場合（例えば、図４に示す閲覧制限設定画面において「ＮＯ」が選択された場合）にはステップ１０４の判定において否定判断が行われた後、連携処理部５４は、利用者によって連携動作が指示されたか否かを判定する（ステップ１０８）。例えば、画面の一部に「連携」ボタンが表示されており、利用者がこの「連携」ボタンを選択するか否かで連携指示の有無が判定される。利用者によって連携動作が指示されない場合には否定判断が行われ、連携動作以外の処理が行われる。なお、本実施形態では、携帯端末装置９０と連携動作を行う場合に着目しており、それ以外の動作の具体例については説明は省略する。
【００４９】
また、利用者によって連携動作が指示されるとステップ１０８の判定において肯定判断が行われる。次に、連携処理部５４は、連携動作の指示を携帯端末装置９０に向けて送信した後（ステップ１１０）、携帯端末装置９０と連携する処理を開始する（ステップ１１２）。
【００５０】
図５は、車載装置１から閲覧制限要求が送られてくる携帯端末装置９０の動作手順を示す流れ図である。
【００５１】
携帯端末装置９０がＵＳＢケーブルを介して車載装置１に接続された後、要求受信部１０１は、車載装置１から送られてくる個人情報の閲覧制限要求を受信したか否かを判定する（ステップ２００）。未受信の場合にはこの判定が繰り返される。また、閲覧制限要求を受信するとステップ２００の判定において肯定判断が行われる。次に、閲覧制限処理部１０２は、閲覧制限処理を行う（ステップ２０２）。
【００５２】
次に、あるいは、閲覧制限要求を受信せずにステップ２００の判定において否定判断が行われた後、連携処理部１０３は、車載装置１から連携動作が指示されたか否かを判定する（ステップ２０４）。車載装置１から連携動作が指示されない場合には否定判断が行われ、連携動作以外の処理が行われる。なお、本実施形態では、車載装置１と連携動作を行う場合に着目しており、それ以外の動作の具体例については説明は省略する。
【００５３】
また、車載装置１から連携動作が指示されるとステップ２０４の判定において肯定判断が行われる。次に、連携処理部１０３は、車載装置１と連携する処理を開始する（ステップ２０６）。この連携動作では、それまでに閲覧制限要求を受信していれば個人情報の閲覧制限を含む各種の動作が行われる。例えば、電話処理部１０４によって電話をかける場合に、電話帳に登録された氏名（名称）の一覧を表示させる動作や、電話がかかってきた場合に相手の電話番号に基づいて氏名（名称）を特定して表示する動作が制限（禁止）される。また、メール処理部１０５によって受信メールを表示させる動作などが制限される。さらに、電話帳処理部１０６によって電話帳の内容を表示させる動作などが制限される。一方、それまでに閲覧制限要求を受信していなければこれらの制限は行われず、個人情報の閲覧制限を伴わない各種の動作が可能となる。
【００５４】
このように、本実施形態の車載装置１では、事前に携帯端末装置９０において閲覧制限を行っていない場合であっても、携帯端末装置９０が接続された後にその設定を行うことができるため、複雑な操作を行うことなく、携帯端末装置９０に保持された個人情報の閲覧を制限することができる。
【００５５】
また、携帯端末装置９０における個人情報の閲覧制限の有無を設定するこにより、利用者以外の第三者の有無などに応じて、閲覧制限の有無を使い分けることが可能となる。
【００５６】
また、連携動作として、携帯端末装置９０の表示画面と同じ画面を表示するとともに、タッチパネル２４を用いてこの画面に対して行った操作内容を携帯端末装置に向けて送信することにより、処理自体は携帯端末装置９０が行ってその表示と入力に関する操作を車載装置１を用いて行うことが可能となる。
【００５７】
また、携帯端末装置９０による閲覧制限には、電話帳の表示、電話の発着信相手の氏名・名称の表示、送受信メールの内容表示の少なくとも一つが含まれており、利用者以外の第三者に、交友関係や通信内容などの個人情報が不用意に閲覧されることを避けることができる。
【００５８】
なお、本発明は上記実施形態に限定されるものではなく、本発明の要旨の範囲内において種々の変形実施が可能である。上述した実施形態では、車載装置１と携帯端末装置９０を連携させる場合について説明したが、車載装置１以外の情報処理装置と携帯端末装置９０とを連携させる場合にも本発明を適用することができる。例えば、情報処理装置として、パーソナルコンピュータや家庭用テレビジョン受信機などを携帯端末装置９０と連携させるようにしてもよい。
【００５９】
また、上述した実施形態では、ＵＳＢケーブルを介して車載装置１と携帯端末装置９０とを接続したが、その他の接続方法、例えばブルートゥース（登録商標）を用いてこれらの間を接続するようにしてもよい。
【産業上の利用可能性】
【００６０】
上述したように、本発明によれば、事前に携帯端末装置において閲覧制限を行っていない場合であっても、携帯端末装置が接続された後にその設定を行うことができるため、複雑な操作を行うことなく、携帯端末装置に保持された個人情報の閲覧を制限することができる。
【符号の説明】
【００６１】
１  車載装置
２０、１１０  操作部
２２  発話スイッチ（ＳＷ）
２４、１１２  タッチパネル
２６、１１４  入力制御部
３０、１２０  表示処理部
３２  表示装置
４４  マイクロホン
５０、１００  制御部
５１  接続検出部
５２  閲覧制限設定部
５３  要求送信部
５４  連携処理部
９０  携帯端末装置
１０１  要求受信部
１０２  閲覧制限処理部
１０３  連携処理部
１０４  電話処理部
１０５  メール処理部
１０６  電話帳処理部
１２２  表示部
【図１】
2017041848.tif 000003
【図２】
2017041848.tif 000004
【図３】
2017041848.tif 000005
【図４】
2017041848.tif 000006
【図５】
2017041848.tif 000007